(57)【要約】【課題】薬の薬剤名の特定にかかる処理を効率よく行うことができる仕組みを提供すること。【解決手段】薬手帳などに記載された患者が処方された薬に関する情報をスキャナ１０８で読み取り、この薬が、印字が施された薬であるか、刻印が施された薬であるかを薬情報サーバ１０６に問い合わせる。問い合わせた結果、印字が施された薬であれば、照明１１８及び照明１２０から光を射出して撮影を行い、刻印が施された薬であれば、照明１１４及び照明１１６から光を射出して撮影を行う。【選択図】図４
2018190085.tif 000002
【特許請求の範囲】
【請求項１】
薬剤を照らすべく、光を射出する射出手段と、
撮影する薬剤に係る情報を受付ける受付手段と、
前記受付手段によって受付けた薬剤に係る情報に従って、前記射出手段により第１の高さからの光の射出と、前記射出手段により第２の高さからの光の射出と、少なくとも何れの射出によって薬剤を撮影する撮影手段と、
を備えたことを特徴とする情報処理システム。
【請求項２】
前記薬剤に係る情報は、当該薬剤が、刻印が施された薬剤か、あるいは、印字が施された薬剤かを示す情報を含み、
前記撮影手段は、当該薬剤が、刻印がなされた薬剤である場合は、前記第１の高さから光を射出して薬剤を撮影し、あるいは、当該薬剤が、印字がなされた薬剤である場合は、前記射出手段により第２の高さから光を射出して薬剤を撮影することを特徴とする請求項１に記載の情報処理システム。
【請求項３】
前記射出手段は、第１の高さから光を射出する第１照射手段と、第２の高さから光を射出する第２射出手段とを含むことを特徴とする請求項１または２に記載の情報処理システム。
【請求項４】
前記受付手段によって受付けた撮影する薬剤に係る情報から第１の高さから光を射出して撮影を行うべき薬剤の情報と、第２の高さから光を射出して撮影を行うべき薬剤の情報とを表示する第１の表示手段と、
第１の高さから光を射出して撮影を行うか、あるいは、第２の高さから光を射出して撮影を行うかの指示を受付ける撮影指示手段と、
を備えたことを特徴とする請求項１乃至３の何れか１項に記載の情報処理システム。
【請求項５】
第１の高さから光を射出して撮影された薬剤の画像と、第２の高さから光を射出して撮影された薬剤の画像と、当該薬剤の画像の解析結果に従って特定された薬剤に係る情報と、を表示する第２の表示手段を備えたことを特徴とする請求項１乃至４の何れか１項に記載の情報処理システム。
【請求項６】
光を射出する射出装置と通信可能な情報処理システムであって、
撮影する薬剤に係る情報を受付ける受付手段と、
前記受付手段によって受付けた薬剤に係る情報に従って、第１の高さからの光の射出と、第２の高さからの光の射出とを切り替える切替手段と、
前記切替手段による光の射出の切替によって撮影された薬剤の画像を用いて、当該薬剤に関する情報の登録を行う画面を表示する表示手段と、
を備えたことを特徴とする情報処理システム。
【請求項７】
薬剤の鑑別を行う情報処理システムの制御方法であって、
薬剤を照らすべく、光を射出する射出ステップと、
撮影する薬剤に係る情報を受付ける受付ステップと、
前記受付ステップによって受付けた薬剤に係る情報に従って、前記射出ステップにより第１の高さからの光の射出と、前記射出ステップにより第２の高さからの光の射出と、少なくとも何れの射出によって薬剤を撮影する撮影ステップと、
を実行することを特徴とする情報処理システムの制御方法。
【請求項８】
薬剤の鑑別を行う情報処理システムを、
薬剤を照らすべく、光を射出する射出手段と、
撮影する薬剤に係る情報を受付ける受付手段と、
前記受付手段によって受付けた薬剤に係る情報に従って、前記射出手段により第１の高さからの光の射出と、前記射出手段により第２の高さからの光の射出と、少なくとも何れの射出によって薬剤を撮影する撮影手段と、
して機能させるためのコンピュータで読取可能なプログラム。
【発明の詳細な説明】
【技術分野】
【０００１】
本発明は、情報処理システム、情報処理システムの制御方法、およびプログラムに関し、特に、薬の薬剤名の特定にかかる処理を効率よく行うことができる仕組みに関する。
【背景技術】
【０００２】
患者が新たな医療機関で診察を受ける際に、現在処方されている薬を医師に伝えることで、その薬による病状の重篤化や遷延化の回避や、他の医療機関から紹介入院した場合に、その紹介状に記載された薬と実際に服用している薬との齟齬の確認等を行うことで、患者に対して十二分なケアを行う試みがなされている。
【０００３】
しかしながら、患者が持参する薬には、患者自身が薬剤名を覚えていない、あるいは認識していないこと等から、薬剤師が、その薬をマニュアル的に鑑別しているのが現状である。
【０００４】
従って、多種多様な薬が存在していることからも、薬剤師にとっては、この鑑別にかかる作業に非常に大きな手間と時間等が費やされている。
【０００５】
そこで、患者が持参した薬が置かれたシャーレの上下に対して、それぞれ高さの異なる位置に取り付けられた２台の照明によって薬を照射しつつ、カメラによって薬を撮影し、撮影された画像と、予め辞書的に登録されている薬の画像とを照合することで、患者が持参した薬の薬剤名を特定する発明が開示されている（例えば、特許文献１参照）。
【先行技術文献】
【特許文献】
【０００６】
【特許文献１】ＷＯ２０１５／１５２２２５号公報
【発明の概要】
【発明が解決しようとする課題】
【０００７】
特許文献１において開示された発明は、薬に刻印された文字や印刷された文字を認識するために、刻印用の照明と印刷された文字用の照明とを、それぞれ高さの異なる位置に取り付けているが、シャーレ上の薬を撮影する度に、２台の照明を交互にＯＮ、ＯＦＦして撮影を行い、それぞれで撮影して得られた薬の画像と、辞書的に登録されている薬の画像との照合を行っている。
【０００８】
このため、シャーレ上の薬が、刻印されたもののみの場合、あるいは、印字されたもののみの場合であっても、２回の撮影を行い、さらに、２回の撮影により得られる画像それぞれについて照合を行う必要もあり、不要な処理が発生するという課題があった。
【０００９】
本発明は、薬の薬剤名の特定を効率よく行うことができる仕組みを提供することを目的とする。
【課題を解決するための手段】
【００１０】
上記課題を解決するための本発明は、薬剤を照らすべく、光を射出する射出手段と、撮影する薬剤に係る情報を受付ける受付手段と、前記受付手段によって受付けた薬剤に係る情報に従って、前記射出手段により第１の高さからの光の射出と、前記射出手段により第２の高さからの光の射出と、少なくとも何れの射出によって薬剤を撮影する撮影手段と、を備えたことを特徴とする。
【発明の効果】
【００１１】
本発明によると、薬の薬剤名の特定を効率よく行うことができる。
【図面の簡単な説明】
【００１２】
【図１】本発明の実施形態に係る持参薬識別システム１００のシステム構成の一例を示す図。
【図２】持参薬識別装置１０４、薬情報サーバ１０６に適用可能な情報処理装置のハードウェア構成の一例を示す図。
【図３】持参薬識別装置１０４の機能の構成の一例を示す機能ブロック図
【図４】薬の特定を行うための処理を示すフローチャートの第１の実施形態を示す図。
【図５】薬手帳の一例を示す図。
【図６】薬剤名などの情報を記憶する薬情報ＤＢの構成一例を示す図。
【図７】鑑別画面の一例を示す図。
【図８】鑑別画面の一例を示す図。
【図９】鑑別画面の一例を示す図。
【図１０】鑑別画面の一例を示す図。
【図１１】鑑別画面の一例を示す図。
【図１２】薬の特定を行うための処理を示すフローチャートの第２の実施形態を示す図。
【図１３】鑑別画面の一例を示す図。
【図１４】薬の特定を行うための処理を示すフローチャートの第３の実施形態を示す図。
【図１５】鑑別画面の一例を示す図。
【図１６】患者が持参した薬の情報を記憶する患者薬情報ＤＢの構成一例を示す図。
【発明を実施するための形態】
【００１３】
以下、図面を参照して、本発明の実施形態を詳細に説明する。なお、以下説明する実施形態は、本発明を具体的に実施した場合の一例を示すもので、特許請求の範囲に記載した構成の具体的な実施形態の１つであ
【００１４】
［第１の実施形態］
まず第１の実施形態について説明する。図１を用いて本発明の実施形態に係る持参薬識別システム１００のシステム構成の一例である。
【００１５】
図１には、本発明の実施形態に係る持参薬識別システム１００の概略構成が示されている。
【００１６】
持参薬識別システム１００（情報処理システムともいう）は、患者が持参する薬を備え付けのカメラで撮影する持参薬撮影装置１０２、持参薬撮影装置１０２によって撮影して得られた薬の画像を取り込む持参薬識別装置１０４（情報処理装置ともいう）、薬の薬剤名や、各薬剤を撮影することにより得られる画像、薬剤の刻印がなされた薬であるかあるいは印字がなされた薬であるかを識別する情報等を記憶する薬情報サーバ１０６、及び患者が処方された薬の手帳等をスキャンするスキャナ１０８を備えており、各装置は、それぞれネットワーク１１０を介して、通信可能なように接続されている。
【００１７】
持参薬撮影装置１０２は、患者が持参した薬を置くためのトレイ１１２、トレイ１１２に置かれた薬に施された刻印の撮影に用いられる照明１１４及び照明１１６、当該薬に施された印字の撮影に用いられる照明１１８及び照明１２０、当該薬を撮影するためのカメラ１２２及びカメラ１２４を備えている。
【００１８】
照明１１４、照明１１６、照明１１８、照明１２０は、本発明における刻印、または印字がされた薬剤を照らすべく、光を射出する射出手段の一例である。
【００１９】
また、カメラ１２２及びカメラ１２４は、本発明における前記射出手段により第１の高さから射出された光で照らされた薬剤を撮像する撮像手段の一例である。
【００２０】
照明１１４及び照明１１６は、それぞれトレイ１１２を挟んで上下に配置され、照明１１８及び照明１２０も同様に上下に配置されるが、照明１１４及び照明１１６よりもトレイ１１２に対して離れた位置に備えられている。
【００２１】
また、カメラ１２２及びカメラ１２４も、それぞれトレイ１１２を挟んで上下に配置され、照明１１８及び照明１２０よりもトレイ１１２に対して離れた位置に備えられている。
【００２２】
さらに、トレイ１１２に置かれた薬の刻印を撮影するときに、照明１１４及び照明１１６をＯＮとする照明制御１２６、照明１１８及び照明１２０をＯＦＦとする照明制御１２８を備え、当該薬の印字を撮影するときには、照明制御１２６は、照明１１４及び照明１１６をＯＦＦとし、照明制御１２８は、照明１１８及び照明１２０をＯＮとする。
【００２３】
持参薬撮影装置１０２は、このような構成により、トレイ１１２に置かれた薬の表裏を撮影することが可能となる。以上で図１の説明を終了する。
【００２４】
なお、本実施形態では持参薬撮影装置１０２と、持参薬識別装置１０４とを別々の装置としたが、持参薬撮影装置１０２と、持参薬識別装置１０４とが一体となった装置であっても良いし、さらに薬情報サーバ１０６も一体となった装置であっても良い。
【００２５】
次に、図２を用いて、図１に示した持参薬識別装置１０４、薬情報サーバ１０６に適用可能な情報処理装置のハードウェア構成の一例について説明する。
【００２６】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、ＰＣの実行する機能を実現するために必要な後述する各種プログラム等が記憶されている。
【００２７】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、ロードしたプログラムを実行することで各種動作を実現するものである。
【００２８】
また、２０５は入力コントローラで、入力部（ＫＢ）２０９や、不図示のマウス等のポインティングデバイス等からの入力を制御する。２０６はビデオコントローラで、表示部２１０（液晶、ブラウン管を問わない）等の表示器への表示を制御する。
【００２９】
２０７はメモリコントローラで、ブートプログラム、各種のアプリケーション、フォントデータ、ユーザファイル、編集ファイル、各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００３０】
２０８は通信Ｉ／Ｆコントローラで、ネットワーク（例えば、図１に示した１１０）を介して外部機器と接続・通信するものであり、ネットワークでの通信制御処理を実行する。例えば、ＴＣＰ／ＩＰを用いた通信等が可能である。
【００３１】
なお、ＣＰＵ２０１は、例えばＲＡＭ２０３内の表示情報用領域へアウトラインフォントの展開（ラスタライズ）処理を実行することにより、表示部２１０上での表示を可能としている。また、ＣＰＵ２０１は、表示部２１０上の不図示のマウスカーソル等でのユーザ指示を可能とする。
【００３２】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる設定ファイル等も外部メモリ２１１に格納されており、これらについての詳細な説明も後述する。以上で、図２の説明を終了する。
【００３３】
図３は、持参薬識別装置１０４の機能の構成の一例を示す機能ブロック図である
持参薬識別装置１０４は、患者が持参した薬に関しての情報を受付ける薬情報受付部３００、薬情報サーバ１０６から薬に関する情報を取得する薬情報取得部３０２、持参薬撮影装置１０２の各照明のＯＮ／ＯＦＦ・光量の制御などを各照明制御に対して出力する照明切替部３０４を備える。
【００３４】
また、持参薬識別装置１０４は、持参薬撮影装置１０２の各カメラに対して撮影指示を行う撮影指示部３０６、表示部２１０へ画面等の表示を行う表示部３０８、画面等を介して入力された情報を受付ける入力受付部３１０、撮影して得られた薬の画像と薬情報サーバ１０６の薬の画像との照合処理や、撮影して得られた薬の画像の刻印部分の錠剤と影のコントラストが所定の閾値以上であるかの特定等を行う画像解析部３１２、及び撮影した薬に関する情報を薬情報サーバ１０６へ登録する登録部３１４を備えている。
【００３５】
尚、これらの各機能の詳細については、後述するフローチャート等の説明時に説明を行う。
【００３６】
図４は、薬の特定を行うための処理を示すフローチャートの第１の実施形態である。
【００３７】
患者が持参する薬には、ＰＴＰシートに梱包されているものと、ＰＴＰシートから取り出された状態（以後、裸錠とする）のものとがある。
【００３８】
ＰＴＰシートには、梱包される薬に関する情報が印字されていることから、薬を特定しやすいが、裸錠から取得できる情報は限られており、類似する情報が多いことから、薬の特定がし難い。
【００３９】
従って、裸錠が何れの薬であるかを特定するための情報として、裸錠に施された刻印や印字を用いることが考えられるものの、トレイ１１２に対して同じ高さの位置にある照明では、刻印と印字とを識別して撮影することが難しいこともあり、刻印と印字とを識別して撮影可能なように、それぞれ異なる高さの位置に照明を備え、それぞれの照明をＯＮ／ＯＦＦして撮影を行っている。
【００４０】
しかしながら、トレイ１１２に置かれた薬は、刻印のもののみの場合もあり、あるいは、印字のもののみの場合もあることから、照明を切り替えつつ、２回撮影を行う必要があり、照明や撮影に係るコストや、撮影後の照合に係るコスト等が嵩むことから、このような手間を省くことが望まれる。
【００４１】
また、最近では、裸錠に対して詳細な情報を組み込めることができる等の理由により、印字のものが増加する傾向にあり、印字された薬に対する照明、撮影、及び照合を行うことでも事足りるケースが存在しつつある。
【００４２】
そこで、このようなケースを鑑みて、患者の紙あるいは電子的な薬手帳、電子カルテ、処方箋等の服用している薬に関する情報から、撮影しようとしている薬が刻印のものか印字のものかを類推し、その類推した結果に基づいて、照明、撮影、及び照合を行う。
【００４３】
ステップＳ１００では、薬情報受付部３００は、患者が持参した薬に関しての情報を受付ける。この情報としては、例えば、紙の薬手帳に記載された薬（現在、服用している薬）に関する情報をスキャナ１０８でスキャンを行って得られたデータ（薬の種類や名称など）を受付ける。
【００４４】
図５には、薬手帳の一例が示されており、薬手帳を見開いた状態が示されている。この薬手帳には、薬剤名、容量、服用指示、処方量等、薬とその処方の仕方についての情報と、薬を処方した調剤薬局名等の情報が印字されたシートが添付されている。
【００４５】
本ステップでは、前述したように、薬情報受付部３００が受付ける薬に関しての情報として、紙の薬手帳以外にも、電子的な薬手帳、電子カルテといった電子的なデータを持参薬識別装置１０４へ入力されたものを使用しても良いし、紙の処方箋に記載された薬に関する情報をスキャナ１０８でスキャンを行って得られたデータを受付けても良い。
【００４６】
尚、紙の薬手帳などは、１ページに複数の医療機関から処方された薬に関しての情報が記載されていることから、画面（不図示）からスキャンを行いたい箇所を指定してスキャンを行わせても良い。
【００４７】
この際に、画面（不図示）には、読み込んだページをスキャンした画像を表示しておき、処方された単位を画像解析によって特定し、その単位ごとに、ユーザから指定を受付ける態様をとることが可能である。
【００４８】
また、１つの処方された薬に関する情報が複数ページに跨る場合、画面（不図示）から続けてスキャンを行うための指示を受付けて（ボタン押下操作等）、続けて複数のページをスキャンさせても良い。
【００４９】
ステップＳ１０２では、薬情報取得部３０２は、ステップＳ１００において受付けた薬に関する情報に基づいて、薬情報サーバ１０６の薬情報ＤＢを検索し、薬が刻印のものか印字のものかを特定する。
【００５０】
図６には、薬剤名などの情報を記憶する薬情報ＤＢの構成が示されており、薬情報ＤＢは、薬を一意に識別するための薬剤ＩＤ、薬剤名、薬に刻印が施されているか、印字が施されているかを識別するための刻印印字Ｆｌｇ（例えば、１が設定されている時は刻印、２が設定されている時は印字など）、薬の高さ、薬に関する画像の保管先、このテーブルに薬剤名などの情報を登録した登録日時、及び当該情報を更新した更新日時を含んで構成されている。
【００５１】
本ステップでは、例えば、ステップＳ１００において受付けた薬に関する情報から薬剤名等を取得し、この薬剤名等と一致する薬情報ＤＢに記憶された薬の刻印印字Ｆｌｇを用いて、撮影対象となる薬が刻印のものか印字のものかを特定する。
【００５２】
ステップＳ１０４では、照明切替部３０４は、ステップＳ１０２において特定した結果に基づいて、印字の薬が存在するか否かを判定し、存在すると判定した場合は、ステップＳ１０６へ処理を進め、存在すると判定しない場合は、ステップＳ１１０へ処理を進める。
【００５３】
つまり、本ステップでは、ステップＳ１０２において薬の刻印印字Ｆｌｇに印字の設定がなされている薬が存在する場合は、ステップＳ１０６へ処理を進め、存在すると判定しない場合は、ステップＳ１１０へ処理を進める。
【００５４】
ステップＳ１０６では、照明切替部３０４は、印字が施された薬を撮影するために、印字の撮影に用いられる照明１１８及び照明１２０をＯＮとするように照明制御１２６へ出力し、刻印の撮影に用いられる照明１１４及び照明１１６をＯＦＦとするように照明制御１２８へ出力する。照明制御１２６及び照明制御１２８は、照明切替部３０４からの出力に従って、照明１１４及び照明１１６の照射を止め、照明１１８及び照明１２０を照射する。
【００５５】
ステップＳ１０８では、撮影指示部３０６は、カメラ１２２及びカメラ１２４に対して撮影の指示を出力する。カメラ１２２及びカメラ１２４は、撮影指示部３０６からの指示に従って、トレイ１１２上の薬を撮影する。
【００５６】
ステップＳ１１０では、照明切替部３０４は、ステップＳ１０２において特定した結果に基づいて、刻印の薬が存在するか否かを判定し、存在すると判定した場合は、ステップＳ１１２へ処理を進め、存在すると判定しない場合は、ステップＳ１１６へ処理を進める。
【００５７】
つまり、本ステップでは、ステップＳ１０２において薬の刻印印字Ｆｌｇに刻印の設定がなされている薬が存在する場合は、ステップＳ１１２へ処理を進め、存在すると判定しない場合は、ステップＳ１１６へ処理を進める。
【００５８】
ステップＳ１１２では、照明切替部３０４は、刻印が施された薬を撮影するために、刻印の撮影に用いられる照明１１４及び照明１１６をＯＮとするように照明制御１２６へ出力し、印字の撮影に用いられる照明１１８及び照明１２０をＯＦＦとするように照明制御１２８へ出力する。照明制御１２６及び照明制御１２８は、照明切替部３０４からの出力に従って、照明１１４及び照明１１６を照射し、照明１１８及び照明１２０の照射を止める。
【００５９】
ステップＳ１１４では、撮影指示部３０６は、カメラ１２２及びカメラ１２４に対して撮影の指示を出力する。カメラ１２２及びカメラ１２４は、撮影指示部３０６の指示に従って、トレイ１１２上の薬を撮影する。
【００６０】
ステップＳ１１６では、表示部３０８は、薬の薬剤名を特定するための鑑別画面４００（図７参照）を表示する。
【００６１】
図７には、鑑別画面４００の構成が示されており、鑑別画面４００は、撮影した画像を表示するための撮影画像表示領域４０２を備えている。
【００６２】
図示するように、撮影画像表示領域４０２には、トレイ１１２に置かれた薬の撮影画像が表示されており、何れの薬が選択されたことを検知すると、選択されたことが識別可能なように、その選択された薬に対して選択表示４０４（例えば、薬の外周を点線で囲う等）がなされる。撮影画像表示領域４０２の左側の円形のトレイが裸状の薬を置くトレイであり、右側の四角形のトレイが錠剤シートを置くトレイである。
【００６３】
そして、選択された薬の画像と、薬情報ＤＢの薬の画像との照合処理（マッチング処理）を行い、各画像の特徴量に係る類似度の高い順に、候補薬表示領域４０６に薬剤名や類似度等の情報を表示する。
【００６４】
尚、候補薬表示領域４０６に表示されているレコードを選択すると、その薬に関しての画像を表示する構成を備えても良い。
【００６５】
選択表示４０４がなされた薬に対して適切な薬剤名を、候補薬表示領域４０６に表示されているレコードから選択されると、選択欄４０８にチェック印が表示される。
【００６６】
また、選択表示４０４に表示されたレコードを選択すると、当該レコードの薬の薬剤名が登録薬剤名４１０へ表示される。
【００６７】
また、鑑別画面４００は、鑑別画面４００を閉じる際に押下するためのキャンセルボタン４１２を備え、さらに、患者に関する情報と、選択表示がなされた薬と、選択欄４０８にチェック印がなされたレコードの薬剤名等の情報とを対応付けて、薬情報サーバ１０６へ登録する際に押下するための薬情報登録ボタン４１４を備えている。
【００６８】
ステップＳ１１８では、入力受付部３１０は、撮影画像表示領域４０２に表示されている薬の画像の選択を受付け、ステップＳ１２０では、画像解析部３１２は、ステップＳ１１８において選択された薬の画像と、薬情報ＤＢの薬の画像との照合（マッチング処理）を行う。
【００６９】
ここで、候補対象となる薬が多く存在する場合には、候補薬表示領域４０６に表示されたレコードから選択を行う手間が多くなることから、ステップＳ１００及びステップＳ１０２において受付けた薬に関する情報を用いて、候補対象となる薬を絞り込んで表示することが可能である。
【００７０】
例えば、ステップＳ１００及びステップＳ１０２において受付けた薬に関する情報に該当する照合処理によって得られた候補対象となる薬に絞り込んで表示しても良い。
【００７１】
ステップＳ１２２では、表示部３０８は、ステップＳ１２０における照合処理の結果に従い、各画像の特徴量に係る類似度の高い順に、候補薬表示領域４０６に薬剤名や類似度等の情報を表示する。
【００７２】
ステップＳ１２４では、入力受付部３１０は、薬情報登録ボタン４１４が押下されたことを検知すると、登録部３１４は、患者に関する情報（例えば、本処理を開始する際に画面（不図示）から入力される患者のＩＤ等の情報）と、選択表示がなされた薬と、選択欄４０８にチェック印がなされたレコードの薬剤名等の情報とを対応付けて、薬情報サーバ１０６へ登録する。
【００７３】
登録が完了すると、図８に示すように、登録された薬の選択表示４０４が、登録済を示す登録表示４１６に変更された表示がなされる（例えば、薬の外周を実線で囲う等）。
【００７４】
尚、患者が持参した薬と薬手帳などに記載されている情報とに齟齬がある場合であって、薬手帳などには、印字が施された薬のみが記載されている場合、印字のみの撮影を行うため、刻印が施されている薬は、当該刻印の認識精度が劣り、候補となる薬が特定しにくくなるといった問題が生じる。
【００７５】
この場合、ユーザは、印字の撮影のみを行っていることを認識することが難しいことから、図９に示す鑑別画面４００に示されるように、刻印あるいは印字の何れの撮影を行ったかを通知４１８する。
【００７６】
そして、このように何れの方法で撮影を行い、さらに、その撮影では認識のし難い薬（例えば、印字の撮影のみを行っている場合は、刻印の薬）を撮影画像表示領域４０２から選択すると、選択された薬の画像と、薬情報ＤＢの薬の画像との照合（マッチング処理）を行い、各画像の特徴量に係る類似度が低い場合は、ユーザに対して、直接、薬を視認して鑑別することを通知４２０（図１０）する。
【００７７】
さらに、ステップＳ１０２において、撮影対象となる薬が刻印のものの個数と、印字のものの個数とを算出し、撮影方法選択画面５００（図１１）へ表示する構成を備えても良い。
【００７８】
図１１には、撮影方法選択画面５００の構成が示されており、撮影方法選択画面５００は、撮影対象となる薬が刻印のものの個数と、印字のものの個数とを表示する撮影対象薬表示領域５０２、及び撮影方法の選択手段を表示するための撮影方法表示領域５０４を備えている。
【００７９】
撮影方法表示領域５０４には、撮影方法を選択させるために、印字のみの撮影を行う際に選択をするための選択欄５０６、刻印のみの撮影を行う際に選択をするための選択欄５０８、印字及び刻印の撮影を行う際に選択をするための選択欄５１０を備えている。これらの選択欄のうち、何れの撮影方法の選択を受付けると、選択欄にチェック印が表示される。
【００８０】
撮影方法選択画面５００は、撮影を開始する際に押下するための撮影開始ボタン５１２、及び撮影を中止する際に押下するための撮影終了ボタン５１４を備えている。
【００８１】
撮影方法表示領域５０４の何れの選択欄が選択された状態で撮影開始ボタン５１２が押下されると、選択された撮影方法で撮影を開始する。
【００８２】
例えば、選択欄５０６が選択された状態で撮影開始ボタン５１２が押下されると、印字のみの撮影を行うため、ステップＳ１０４及びステップＳ１０８の処理を行った後、ステップＳ１１６へ処理を進める。
【００８３】
また、選択欄５０８が選択された状態で撮影開始ボタン５１２が押下されると、刻印のみの撮影を行うため、ステップＳ１０６及びステップＳ１０８の処理を行わずに、ステップＳ１１２へ処理を進める。
【００８４】
さらに、選択欄５１０が選択された状態で撮影開始ボタン５１２が押下されると、印字及び刻印の撮影を行うため、ステップＳ１０６、ステップＳ１０８、ステップＳ１１２、及びステップＳ１１４の処理を行ない、ステップＳ１１６以降の処理を進める。
【００８５】
尚、ステップＳ１１０の処理の後、印字及び刻印の何れの薬も存在しないと判定した場合は、印字の撮影のみを行うため、ステップＳ１１２及びステップＳ１１４の処理を行うことなく、ステップＳ１０６及びステップＳ１０８の処理を行うか、あるいは、刻印の撮影のみを行うため、ステップＳ１０６及びステップＳ１０８の処理を行うことなく、ステップＳ１１２及びステップＳ１１４の処理を行う、あるいは、印字及び刻印の撮影を行うといった何れの態様をとっても良い。以上で、図４の説明を終了す
【００８６】
［第２の実施形態］
次に、図１２を用いて、薬の特定を行うための処理を示すフローチャートの第２の実施形態について説明する。
【００８７】
図４で説明した薬の特定を行うための処理を示すフローチャートの第１の実施形態では、患者の服用している薬に関する情報から、撮影しようとしている薬が刻印のものか印字のものかを類推し、その類推した結果に基づいて、照明、撮影、及び照合を行うが、お薬手帳を患者が持って来るのを忘れる等の理由により、患者の服用している薬に関する情報が得られない恐れもある。
【００８８】
そこで、第２の実施形態では、患者の服用している薬に関する情報を用いることなく、照明を切り替えて２回撮影を行う手間を極力省くことが可能な形態について説明する。
【００８９】
ステップＳ１２０１において、刻印の撮影に用いられる照明１１４及び照明１１６をＯＮとするように照明制御１２６へ出力し、印字の撮影に用いられる照明１１８及び照明１２０をＯＦＦとするように照明制御１２８へ出力する。
【００９０】
照明制御１２６及び照明制御１２８は、照明切替部３０４からの出力に従って、照明１１４及び照明１１６を照射し、照明１１８及び照明１２０の照射を止める。
【００９１】
ステップＳ１２０２において、撮影指示部３０６は、カメラ１２２及びカメラ１２４に対して撮影の指示を出力する。カメラ１２２及びカメラ１２４は、撮影指示部３０６の指示に従って、トレイ１１２上の薬を撮影して取得する。
【００９２】
ステップＳ１２０２は、本発明における前記撮像手段で薬剤を撮像することにより得られる画像データを取得する取得手段の一例である。
【００９３】
ステップＳ１２０３において、画像解析部３１２は、撮影して得られた薬の画像を解析し、刻印部分を読み取るのに適切なコントラストであるかを判定する。刻印部分を読み取るのに適切なコントラストであればステップＳ１２０６に処理を移行し、刻印部分を読み取るのに適切なコントラストでなければステップＳ１２０４に処理を移行する。
【００９４】
なお、刻印部分を読み取るのに適切なコントラストであるかは、錠剤の刻印部分の影のコントラストが所定の閾値以上であった場合、刻印部分を読み取るのに適切なコントラストであると判断する。
【００９５】
なお、ステップＳ１２０３において、撮影して得られた薬の画像を解析し、薬（錠剤）の刻印部分の影のコントラストが所定の閾値未満（または、以下）であった場合、刻印部分を読み取るのに適切なコントラストでないと判断しても良い。
【００９６】
また、複数の薬を撮影している場合には、薬それぞれに対して、ステップＳ１２０３の処理を実行し、１つでもコントラストが適切でない薬があればステップＳ１２０４に処理を移行する。ステップＳ１２０３は、本発明における、前記取得手段で取得した画像データを解析した解析結果を用いて、前記射出手段により第２の高さから光を射出するかを判定する判定手段の一例である。
【００９７】
ステップＳ１２０４において、照明切替部３０４は、印字の撮影に用いられる照明１１８及び照明１２０をＯＮとするように照明制御１２６へ出力し、刻印の撮影に用いられる照明１１４及び照明１１６をＯＦＦとするように照明制御１２８へ出力する。
【００９８】
照明制御１２６及び照明制御１２８は、照明切替部３０４からの出力に従って、照明１１４及び照明１１６の照射を止め、照明１１８及び照明１２０を照射する。
【００９９】
ステップＳ１２０５において、撮影指示部３０６は、カメラ１２２及びカメラ１２４に対して撮影の指示を出力する。カメラ１２２及びカメラ１２４は、撮影指示部３０６からの指示に従って、トレイ１１２上の薬を撮影する。
【０１００】
ステップＳ１２０５は、本発明における、前記判定手段により第２の高さから光を射出すると判定されることを条件に、前記射出手段により第２の高さから射出された光で照らされた薬剤を撮像する撮像手段の一例である。
【０１０１】
ステップＳ１２０６において、表示部３０８は、薬の薬剤名（種別ともいう）を特定するための鑑別画面４００（図７参照）を表示する。
【０１０２】
ステップＳ１２０７において、入力受付部３１０は、撮影画像表示領域４０２に表示されている薬の画像の選択を受付け、ステップＳ１２０８では、画像解析部３１２は、ステップＳ１２０７において選択された薬の画像と、薬情報ＤＢの薬の画像との照合（マッチング処理）を行う。
【０１０３】
なお、ステップＳ１２０７の処理は、必須ではなく、薬の画像の選択を受け付けることなくすべての薬剤に対して、ステップＳ１２０８の処理を実行してもよい。
【０１０４】
ステップＳ１２０９において、表示部３０８は、ステップＳ１２０８における照合処理の結果に従い、各画像の特徴量に係る類似度の高い順に、候補薬表示領域４０６に薬剤名や類似度等の情報を表示する。
【０１０５】
ステップＳ１２１０において、入力受付部３１０は、薬情報登録ボタン４１４が押下されたことを検知すると、登録部３１４は、患者に関する情報（例えば、本処理を開始する際に画面（不図示）から入力される患者のＩＤ等の情報）と、選択表示がなされた薬と、選択欄４０８にチェック印がなされたレコードの薬剤名等の情報とを対応付けて、薬情報サーバ１０６へ登録する。
【０１０６】
登録が完了すると、図８に示すように、登録された薬の選択表示４０４が、登録済を示す登録表示４１６に変更された表示がなされる（例えば、薬の外周を実線で囲う等）。
【０１０７】
以上で、図１２の説明を終了する。
【０１０８】
次に図１３を用いて、第２の実施形態における、鑑別画面４００の他の実施形態について説明する。
【０１０９】
図１３に示す鑑別画面４００では、図７と異なり、刻印の撮影に用いられる照明１１４及び照明１１６をＯＮにして撮影した１回目の画像を画面上部に表示し、印字の撮影に用いられる照明１１８及び照明１２０をＯＮにして撮影した２回目画像を画面下部に表示し、更に、それぞれの画像で、コントラストが適切でない薬については、１３０１に示すマスクをして選択できないようにしている。これにより、コントラストが適切でない薬、つまり、刻印や印字の認識精度が劣り、候補となる薬が特定しにくい薬を、ユーザが誤って選択し、当該薬に対してステップＳ１２０８〜ステップＳ１２０９の処理を行ってしまう可能性を低減することが可能とな
【０１１０】
［第３の実施形態］
次に、図１４を用いて、薬の特定を行うための処理を示すフローチャートの第３の実施形態について説明する。
【０１１１】
第３の実施形態では、患者のお薬手帳や電子カルテ等があるかによって、図４の処理を実行するか、図１２の処理を実行するかを切り替えることで、より効率的に薬の薬剤名の特定にかかる処理を行うことを可能とする。
【０１１２】
ステップＳ１４０１において、持参薬識別装置１０４は、服薬薬剤情報（患者が持参した薬に関しての情報）を受け付けるかを判定する。服薬薬剤情報を受け付けるならばステップＳ１４０２に処理を移行し、服薬薬剤情報を受け付けないならばステップＳ１４０３に処理を移行する。
【０１１３】
服薬薬剤情報を受け付けるか否かの判定は、表示部３０８に服薬薬剤情報があるかの入力を受け付ける画面を表示し、服薬薬剤情報があるとの入力を受け付けると、服薬薬剤情報を受け付けると判定しても良いし、紙の薬手帳に記載された薬に関する情報をスキャナ１０８でスキャンしたり、電子的な薬手帳、電子カルテといった電子的なデータを持参薬識別装置１０４へ入力したりすることで、服薬薬剤情報を受け付けると判定しても良い。
【０１１４】
ステップＳ１４０２において、持参薬識別装置１０４は、第１の薬特定処理を行う。第１の薬特定処理の詳細は、図４に示す処理と同じであるため説明は省略する。
【０１１５】
ステップＳ１４０３において、持参薬識別装置１０４は、第２の薬特定処理を行う。第２の薬特定処理の詳細は、図１２に示す処理と同じであるため説明は省略する。以上で、図１４の説明を終了する。
【０１１６】
［変形例１］
次に各実施形態に関しての変形例１について説明する。図１５に示されるように鑑別画面４００には、印字の撮影に用いられる照明１１８及び照明１２０をＯＮにして撮影した薬の画像を表示する撮影画像表示領域４０２と、刻印の撮影に用いられる照明１１４及び照明１１６をＯＮにして撮影した薬の画像を表示する撮影画像表示領域４２２とを備えている。
【０１１７】
ユーザは、撮影画像表示領域４０２あるいは撮影画像表示領域４２２に表示された、何れの撮影画像表示領域の何れの薬が選択されたことを検知すると、選択されたことが識別可能なように、その選択された薬に対して選択表示４０４及び選択表示４２４（例えば、薬の外周を点線で囲う等）がなされる。
【０１１８】
つまり、一方の撮影画像表示領域の薬が選択されると、もう一方の撮影画像表示領域の同じ薬が選択表示される。
【０１１９】
そして、薬情報登録ボタン４１４が押下されると、患者に関する情報と、選択表示がなされた薬と、選択欄４０８にチェック印がなされたレコードの薬剤名と、何れの撮影方法（印字あるいは刻印）で撮影がなされたこと等の情報とを対応付けて、薬情報サーバ１０６へ登録する。
【０１２０】
図１６には、これらの情報を登録するための患者所持薬情報ＤＢの構成が示されている。患者所持薬情報ＤＢは、患者を一意に識別するための患者ＩＤ、患者名、選択欄４０８にチェック印がなされたレコードの薬の薬剤ＩＤ、その薬の撮影方法（印字あるいは刻印）等を含んで構成されている。
【０１２１】
この撮影方法を登録するには、撮影画像表示領域４０２の薬の画像を選択して登録を行った場合は、印字で撮影を行ったことを撮影方法へ登録し、撮影画像表示領域４２２の薬の画像を選択して登録を行った場合は、刻印で撮影を行ったことを撮影方法へ登録する。
【０１２２】
尚、１人の患者に対して、撮影画像表示領域４０２あるいは撮影画像表示領域４２２に対して選択登録した数の分だけ、薬剤ＩＤと撮影方法とはセットで登録される。
【０１２３】
［変形例２］
次に各実施形態に関しての変形例２について説明する。各実施形態では、照明１１４及び照明１１６、照明１１８及び照明１２０と、それぞれトレイ１１２を挟んで上下に各照明が備えられているが、１組の照明のみであっても良い。
【０１２４】
例えば、照明１１４及び照明１１６のみの構成として、照明１１４及び照明１１６が、上下に移動する構成を備えることが可能である。
【０１２５】
この場合、刻印のみの薬を撮影する場合は、照明制御１２６によって、トレイ１１２に近い高さの位置へ照明１１４及び照明１１６を移動して撮影し、印字のみの薬を撮影する場合は、照明制御１２６によって、トレイ１１２より離れた高さの位置へ照明１１４及び照明１１６を移動して撮影することが可能となる。
【０１２６】
以上、本発明によると、薬の薬剤名の特定を効率よく行うことができる。特に、薬剤に応じて撮影をするため処理の効率化
につながる。また、薬剤の種別（刻印、印字）により、射出方法を切り替えることにより、薬剤の特定が容易になる。
【０１２７】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１２８】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１２９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１３０】
その場合、プログラムの機能を有していれば、オブジェクトコード、インタプリタにより実行されるプログラム、ＯＳに供給するスクリプトデータ等の形態であってもよい。
【０１３１】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１３２】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１３３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１３４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１３５】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１３６】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１３７】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１３８】
１００  持参薬識別システム
１０２  持参薬撮影装置
１０４  持参薬識別装置
１０６  薬情報サーバ
１０８  スキャナ
１１０  ネットワーク
【図１】
2018190085.tif 000003
【図２】
2018190085.tif 000004
【図３】
2018190085.tif 000005
【図４】
2018190085.tif 000006
【図５】
2018190085.tif 000007
【図６】
2018190085.tif 000008
【図７】
2018190085.tif 000009
【図８】
2018190085.tif 000010
【図９】
2018190085.tif 000011
【図１０】
2018190085.tif 000012
【図１１】
2018190085.tif 000013
【図１２】
2018190085.tif 000014
【図１３】
2018190085.tif 000015
【図１４】
2018190085.tif 000016
【図１５】
2018190085.tif 000017
【図１６】
2018190085.tif 000018